(57)【特許請求の範囲】
【請求項１】
幅１×Ｂ、１．５×Ｂ又は２×Ｂの多数の接点キャリアモジュール（２０、２１）を取り外し可能にラッチするためのフレーム（１０）を有するプラグインコネクタであって、前記フレーム（１０）が、対向して位置する２つの長手方向の側壁（１１）と、前記長手方向の側壁の間の空間を横断し、対向して位置する２つの横断方向の側壁（１２）とから形成され、様々な幅の少なくとも２つの接点キャリアモジュール（２０、２１）が、それぞれの前記接点キャリアモジュールの幅方向が前記長手方向と平行になるように、前記フレーム（１０）に受容されることができ、かつ前記フレーム（１０）とラッチすることができ、前記接点キャリアモジュール（２０、２１）が、前記接点キャリアモジュール（２０、２１）を取り外し可能に前記フレーム（１０）に締結するために前記フレーム（１０）に配置される対応する噛合ラッチエレメント（１３）と協働する少なくとも１つのラッチエレメント（２３）を備え、また前記噛合ラッチエレメント（１３）が、前記フレーム（１０）の前記長手方向の側壁（１１）の外側に、０．５×Ｂの均一なグリッド間隔で配置され、
前記接点キャリアモジュール（２０、２１）に配置される前記ラッチエレメント（２３）が多数のラッチアーム（２４）を備え、前記接点キャリアモジュール（２０、２１）の隣接する前記多数のラッチアーム（２４）が、前記接点キャリアモジュール（２０）に０．５×Ｂの間隔で具体化される、プラグインコネクタ。
【請求項２】
幅Ｂの少なくとも１つの基本接点キャリアモジュール（２１）が前記フレーム（１０）に受容されることを特徴とする請求項１に記載のプラグインコネクタ。
【請求項３】
各々の接点キャリアモジュール（２０、２１）が、相対して位置する２つの側面にラッチエレメント（２３）を備えることを特徴とする請求項１又は２に記載のプラグインコネクタ。
【請求項４】
前記フレーム（１０）にラッチする直接隣接する接点キャリアモジュール（２０、２１）の前記それぞれの隣接するラッチアーム（２４）が、０．５×Ｂの間隔で前記接点キャリアモジュール（２０、２１）に具体化されることを特徴とする請求項１〜３のいずれか一項に記載のプラグインコネクタ。
【請求項５】
前記長手方向の側壁は第１の長手方向の側壁および第２の長手方向の側壁を有し、前記第１の長手方向の側壁（１１）に面する第１の側面において、前記接点キャリアモジュール（２０，２１）に第１の位置決め溝（３１）が設けられることを特徴とする請求項１〜４のいずれか一項に記載のプラグインコネクタ。
【請求項６】
前記第１の長手方向の側壁に対向して位置する前記第２の長手方向の側壁（１１）と整列される第２の側面において、前記接点キャリアモジュール（２０、２１）に第２の位置決め溝（３１）が設けられ、前記第１の位置決め溝および前記第２の位置決め溝が、正反対に互いにオフセットして配置されることを特徴とする請求項５に記載のプラグインコネクタ。
【請求項７】
前記フレームが、０．５×Ｂのグリッド寸法を有するグリッドの前記フレームの長手方向の側壁の各々の内面に位置決めリブ（３０）を備え、対向して位置する位置決めリブが、互いに正反対にオフセットして配置されることを特徴とする請求項１〜６のいずれか一項に記載のプラグインコネクタ。
【請求項８】
さらに、幅Ｂの基本接点キャリアモジュール（２１）が設けられることを特徴とする請求項１〜７のいずれか一項に記載のプラグインコネクタ。
【請求項９】
さらに、幅１．５×Ｂの幅の接点キャリアモジュール（２０）が設けられることを特徴とする請求項１〜８のいずれか一項に記載のプラグインコネクタ。
【請求項１０】
さらに、幅２．０×Ｂの幅の接点キャリアモジュール（２０）が設けられることを特徴とする請求項１〜９のいずれか一項に記載のプラグインコネクタ。
【請求項１１】
接点キャリアモジュール（２０）の多数のラッチアーム（２４）が、隣接する２つのラッチアーム（２４）の間の空間を横断する接続片（２５）によって互いに接続され、結果として、ラッチウィンドウ凹部（２７）が２つの隣接するラッチアーム（２４）の間に具体化されることを特徴とする請求項１〜１０のいずれか一項に記載のプラグインコネクタ。
【発明の詳細な説明】
【技術分野】
【０００１】
本発明は、請求項１に記載のモジュラープラグインコネクタに関する。
【背景技術】
【０００２】
このタイプのプラグインコネクタは、一例として独国実用新案第８１１１４１８Ｕ１号明細書及び欧州特許第００９７２５５Ｂ１号明細書に開示されている。
【０００３】
欧州特許第００９７２５５Ｂ１号明細書によるプラグインコネクタは、キャリア本体の上に差し込まれ、次に、このキャリア本体に、互いに隣接して一列に配置されるディスク状の絶縁セグメントから具体化される導体接続ブロックが締結される。絶縁セグメントは凹部を備え、関連の接点エレメントが前記凹部内に挿入される。
【０００４】
プラグイン状態においても接点エレメントにアクセスすることを可能にするために、さらに、室状の開口が絶縁本体に設けられ、接点エレメントの端部領域のピン状の延長部が前記開口内に突出することが意図される。絶縁体は、各々の場合にそれらの上面に凹みを備え、フレーム部分の外面にねじ留めされる間隔ボルトは、前記凹みに（絶縁セグメントに対して横断方向に）挿入される。前記間隔ボルト及びフレーム部分は、セグメントがねじ留めされる結果として互いに対して位置付けられる。
【０００５】
公知の実施形態の場合、個々の絶縁体の数、位置及び配分は前もって固定されている。新しい構造を設けることができる前に絶縁体を交換するために、間隔ボルトを取り外し、フレームを取り除き、またキャリア本体から接点本体を解放することが必要である。
【０００６】
独国特許出願公開第３８３４６５１Ａ１号明細書は、モジュール式に保持されるソケット接点を開示している。フレームの長手方向部分の支持体は、フレームの弱化をもたらす斜角ストリップとして具体化される。プラグインコネクタは、多くの異なる実施形態で公知である。このタイプのプラグインコネクタのハウジング及びフレームは、多くの場合標準化されているが（例えばドイツ標準規格４３６５２）、他方で、顧客仕様の又は用途指向の接点構造に対する大きな要求があるので、自由に構成できる接点装置を装備することができるプラグインコネクタを提供することが望ましい。
【０００７】
独国特許第８７１７１１０．４４１号明細書は、２つの部分を備えるフレームが設けられ、様々な実施形態の接点モジュールを前記フレームに挿入することができるプラグ接続を開示している。フレームは、２つの分離されたフレーム部分から具体化され、前記フレーム部分の一方は、各々の長手方向側面に、基準縁部を有する案内レールを備える。接点モジュールは、それらの設置状態においてフレーム部分を通して落下できないように、各々の場合に、横方向に対応する接続片を有する。第２のフレーム部分は第１のフレーム部分に装着され、接点モジュールは前記第１のフレーム部分に位置決めされ、また第２のフレーム部分は第１のフレーム部分にねじ留めされる。第２のフレーム部分はまた、ねじ留めされたフレームに横方向の接続片が捕捉して保持されるように、接点キャリアの上面の対応する凹部に係合する横方向の接続片を有する。この解決方法は、組立が比較的複雑であり、次に、任意の必要なメンテナンス作業の実施が難しい限り問題である。さらに、２部分フレームは製造が比較的複雑であり、したがって高価である。
【０００８】
ＤＥ３１４２１８２Ｃ２は、標準化されたブレードコネクタを有する回路基板を受容するための様々なプラグエレメント用の交換可能なプラグインサートを有するプラグ接続を開示しており、この場合、雌の多点コネクタは、単一部分のフレーム及び様々な形状のセグメントから形成され、この場合、フレームの内側の長手方向側面が、一方の側面に長方形の溝として、また対向して位置する側面にプリズム状の接続片として具体化され、この場合、フレームの長手方向側面には、ラッチ突起部によってセグメントの確動ロックの相互ロック装置用の様々な開口が設けられる。
【０００９】
さらに、接点キャリアの端面の上方に突出する操作ハンドルを有するラッチプレートを具体化することが欧州特許第０２０２９１６Ａ２号明細書から公知である。
【００１０】
独国実用新案第９３０１２２０Ｕ１号明細書は、接点弾性エレメントを有する合成材料の基体を備える多極プラグコネクタを開示しており、多極プラグコネクタには、接触のために前記接点弾性エレメントに付設される接点ブレードが設けられる。接点ブレードは、プラグ接続部の多数の開口室に配置され、合成材料の基体に配置される接点弾性エレメントは、接続接点を有する可撓性ケーブルによって接続エレメントに接続される。
【００１１】
室の接点ブレードに付設される接点弾性エレメントは、ブロック状に具体化される多数の合成材料体に配置され、かつ互いに接続することができ、合成材料基体は、ラッチ手段が設けられたカットアウトを備え、室に付設される合成材料体は、取り外し可能に前記カットアウトにラッチすることができる。室に付設される合成材料基体のカットアウトは、個々に合成材料体を装備することができ、合成材料体の接点弾性エレメントは、可撓性ケーブルによって接続エレメントに接続される。
【００１２】
独国特許出願公開第１５９００７２Ａ１号明細書は、絶縁プレートを有する電気コネクタハウジングアセンブリを開示しており、この場合、電気コネクタはプレートに締結される。プレートは長方形の開口を備え、多数の長方形のコネクタハウジングは前記開口に導入することができる。このために、横方向に突出する接続片が、相対して配置される第１の対の側面の両側に設けられ、前記接続片を取り外し可能にプレートに接続することができる。
【００１３】
上述のすべてのシステムは、多様な変形例が限定される不都合を有する。
【発明の概要】
【発明が解決しようとする課題】
【００１４】
本発明の目的は、様々な用途に使用されることができ、かつ取り外し可能な接点キャリアモジュールを有する改良されたプラグインコネクタを提供することである。単一の接点キャリア又は多数の接点キャリアの挿入及び取り除きは、迅速にかつ大きな出費なしにプラグインコネクタに試験及び保守を実行し、またいくつかの異なる装着可能な構造の接点キャリアモジュールを可能できるために容易であるべきである。
【課題を解決するための手段】
【００１５】
この目的は、請求項１の特徴によって達成される。本発明の別の好ましい実施形態が従属請求項に規定されている。
【００１６】
本発明は、一方で、接点キャリアモジュールが様々なモジュール幅で具体化され、他方で、幅Ｄを有する基本モジュールの幅の半整数倍（０．５、１．５、２．５等）である幅を有するモジュールも提供され、前記接点キャリアモジュールを、画定されたモジュラーグリッドの固定フレーム部分に取り外し可能に締結することができるという考察に基づいている。
【００１７】
言い換えれば、固定された均一なグリッドの接続片及び接続片間隔を有するフレームが設けられ、基本モジュール、ならびに０．５倍、１．５倍、２倍、２．５倍等のモジュール幅を有するモジュールの両方を前記フレームに取り外し可能にラッチすることができる。
【００１８】
したがって、本発明によれば、幅０．５×Ｂ、１×Ｂ、１．５×Ｂ又は２×Ｂを有する好ましくは多数の接点キャリアモジュールを取り外し可能にラッチするためのフレームを有するプラグインコネクタが提供され、この場合、フレームは、対向して位置する２つの長手方向の側壁と、対向して位置する２つの横断方向の側壁とから形成され、またこの場合、様々な幅の少なくとも２つ、好ましくはより多くの接点キャリアモジュールはフレームに受容されることができ、かつフレームとラッチすることができる。
【００１９】
さらに、接点キャリアモジュールは、接点キャリアモジュールを取り外し可能にフレームに締結するためにフレームに配置される対応する噛合ラッチエレメントと協働する少なくとも１つのラッチエレメントを備え、これらのラッチエレメントの固定グリッドは、フレームの長手方向の側壁の外側に、実際に、０．５×Ｂ（基本接点キャリアモジュールの半分の幅）の噛合ラッチエレメントの均一なモジュラーグリッド寸法で配置される。
【００２０】
このようにして、プラグインコネクタを設けることが可能であり、このプラグインコネクタ内に、幅Ｂの標準接点キャリアモジュール、同様に幅０．５×Ｂの接点キャリアモジュール、同様に幅０．５×Ｂの半部接点キャリアモジュールの幅の３倍に対応する幅１．５×Ｂの接点キャリアモジュールをラッチすることが可能である。
【００２１】
結果として、標準又はむしろ基本接点キャリアモジュールの幅Ｂ／２の整数倍を挿入することが可能であり、したがって、幅Ｂ又は２×Ｂの接点キャリアモジュール、又はフレームが十分に大きく具体化されることを前提として、幅ｎ×Ｂ／２の倍数の接点キャリアモジュールも挿入することが可能である。
【００２２】
したがって、幅Ｂの標準モジュールの半分の幅に対応するラッチリブのグリッドが、本発明に従って、フレームに、好ましくはフレームの長手方向の側壁の外面に設けられる。
【００２３】
グリッドを幅Ｂ／２で配置する結果、したがって、幅Ｂの標準又は基本接点キャリアモジュールの０．５倍及び１．５倍のような奇数整数倍を配置することが可能であり、結果として様々な可能な用途の数が増加する。
【００２４】
特に有利な実施形態では、接点キャリアモジュールは、０．５×Ｂの間隔でラッチアームが同様に配置されるラッチエレメントを備える。したがって、例えば、幅Ｂの基本接点キャリアモジュールの１．５倍の幅（言い換えれば幅１．５×Ｂ）を有するモジュールには、３つのラッチアームが設けられ、一方、基本接点キャリアモジュールには、２つのラッチアームが設けられ、半部接点キャリアモジュールには、各側に１つのラッチアームが設けられる。したがって、全体として、幅Ｂのｎ倍を有するモジュールは、結果として各側に２ｎの弾性エレメントアームを提供すると言うことができる。
【００２５】
本発明の単純化した実施形態では、フレームが、幅Ｂの少なくとも１つの基本接点キャリアモジュール及び幅０．５×Ｂの少なくとも１つの接点キャリアモジュールを受容することができ、又はむしろ、このタイプの接点キャリアモジュールが受容されるプラグインコネクタが提供される。
【００２６】
有利に、プラグインコネクタは、各々の接点キャリアモジュールが、各々の場合に、相対して位置する２つの側面にラッチエレメントを備えることを特徴とする。
【００２７】
１つ又は多数のラッチアームがラッチエレメントに直接配置される場合に、特に有利である。
【００２８】
特に好ましい実施形態では、接点キャリアモジュールの各々の場合に隣接する多数のラッチアームは、接点キャリアモジュールに、又は直接ラッチエレメントに０．５×Ｂの間隔で具体化される。
【００２９】
さらに、互いに直接隣接するフレームにラッチする、直接隣接する接点キャリアモジュールのそれぞれの隣接するラッチアームが、０．５×Ｂの間隔で接点キャリアモジュールに具体化される場合に、有利である。
【００３０】
言い換えれば、このことは、様々な幅の接点キャリアモジュールを挿入して、ラッチするとき、一方で、接点キャリアモジュールの隣接する弾性のエレメントアームが０．５×Ｂのグリッド間隔で離間され、他方で、様々な、しかし直接隣接する接点キャリアモジュールのラッチアームも互いに０．５×Ｂの間隔で離間されることを意味する。
【００３１】
さらに、各々の場合に、フレームの長手方向の側縁に面する側面において、接点キャリアモジュールに位置決め溝が設けられる場合、有利である。
【００３２】
代わりに、接点キャリアモジュールには、このタイプの側面に多数の位置決め溝を設けることもできる。
【００３３】
同様に接点キャリアモジュールと対向して位置しており、かつフレームの対向して位置する横方向縁部と整列される第２の側面において、各々の場合に、接点キャリアモジュールに１つ又は多数の別の位置決め溝が設けられる場合、実際に、単一に整列してのみ接点キャリアモジュールをフレームに差し込みかつラッチできるように、互いに横方向にオフセットして前記位置決め溝が正反対に配置されるように設けられる場合、特に有利である。
【００３４】
したがって、フレームが、０．５×Ｂのグリッド寸法を有するグリッドのその長手方向の側壁の各々の内面に、対応する位置決めリブを備える場合、特に有利であり、この場合、各々の場合に、対向して位置する位置決めリブは、同様に互いに正反対にオフセットして配置される。
【００３５】
言い換えれば、このことは、位置決めリブのグリッドが、０．５×Ｂのグリッド寸法のフレームの長手方向の側壁の各々の内面に配置されることを意味し、この場合、対向して位置する列の位置決めリブは、各々の場合に長手方向の側壁の対向して位置する内面に、互いにオフセットして正反対に配置される。
【００３６】
特に有利な実施形態では、本発明によるプラグインコネクタに、幅Ｂの基本接点キャリアモジュール、及び／又は幅０．５×Ｂの接点キャリアモジュール、及び／又は幅１．５×Ｂの接点キャリアモジュール、及び／又は幅２×Ｂの接点キャリアモジュールが設けられる。
【００３７】
別の有利な実施形態では、接点キャリアモジュールの多数のラッチアームは、横断方向の接続片によって互いに接続され、結果として、各々の場合に、ラッチウィンドウ凹部が２つの隣接するラッチアームと横断方向の接続片との間に具体化され、ラッチリブ又はむしろ一般にフレームのラッチエレメントが、前記ラッチウィンドウ凹部内にラッチすることができる。その結果、特に確実かつ安定したラッチ構成が接点キャリアモジュールとフレームとの間に達成される。
【００３８】
本発明の別の実施形態が従属請求項から明らかである。さらに、以下の例示的な実施形態及び図を参照して本発明について以下に説明する。
【図面の簡単な説明】
【００３９】
【図１】接点キャリアモジュールの複数の実施形態の図面である。
【図２ａ】本発明によるフレームの上方からの斜視図である。
【図２ｂ】図２ａによる下方からの斜視図である。
【図３】図２ａ及び図２ｂに示したフレームの側面図である。
【図４】図２ａによる図面の頂面図である。
【図５】接点キャリアモジュールが装備されている本発明の第１の例示的な実施形態の図面である。
【図６】図５による構造の第２の変形例の図面である。
【図７】図５と同様の接点キャリアモジュールの構造の第３の代替変形例の図面である。
【図８】図５〜図７と同様の接点キャリアモジュールの構造の実施形態の別の変形例の図面である。
【図９】図５〜図８と同様の別の代替図である。
【図１０】接点キャリアモジュールの断面図である。
【図１１】図４と同様のフレームの頂面図である。
【図１２】図９による本発明によるプラグインコネクタの側面図である。
【発明を実施するための形態】
【００４０】
図１は、接点キャリアモジュール２０、２１を示している。接点キャリアモジュール２０、２１は、様々なモジュール幅で具体化される。左手側からの第２の図面では、標準幅Ｂが示されている。図１０に示されているように、この接点キャリアモジュールは深さＴ及び高さＨをさらに有する。
【００４１】
標準幅Ｂを有する接点キャリアモジュール２０は、以下に、基本接点キャリアモジュールとして説明される。幅Ｂ０．５×Ｂを有する接点キャリアモジュール２０は、前記基本接点キャリアモジュールの左手側に位置決めされる。幅１．５×Ｂを有する接点キャリアモジュール２０は、基本接点キャリアモジュールの右手側に位置決めされ、幅２×Ｂの接点キャリアモジュール２０は、さらに右手側に位置決めされる。
【００４２】
接点キャリアモジュール２０、２１は、それらの側に位置決め溝３１を備える。これらの位置決め溝３１は、図４及び図１１に示されているような位置決めリブ３０に対応する。接点キャリアモジュール２０の各側に位置決めリブ３０を横方向にオフセットして配置し、したがって、図１１に明らかであるように、フレーム１０の位置決めリブ３０の相応してオフセットされた位置の結果、接点キャリアモジュール２０をフレーム１０の異なる位置に挿入することは不可能である。
【００４３】
さらに、ラッチエレメント２３は、接点キャリアモジュール２０の側面に位置決めされ、１つ以上のラッチアーム２４が前記ラッチエレメントに配置される。多数のラッチアーム２４がラッチエレメント２３に連結される限り、前記ラッチアームが横断方向の接続片２５によって互いに接続され、ラッチ突起部２６が、各々の場合に、前記横断方向の接続片の左手側及び右手側に具体化される。
【００４４】
さらに、モジュールの幅が増加するにつれて、各々の場合に、ラッチアームの数が増加することが明らかである。０．５×Ｂの幅毎に、ラッチアーム２４がラッチ要素２３に連結される。結果として、一例として幅２×Ｂを有するモジュールは、図１に示されるように、右手側の図面に４つのラッチアームを有する。
【００４５】
図２ａ、図２ｂ、図３及び図４は、本発明によるフレーム１０を示している。フレーム１０は、各々の場合に、対向して位置する長手方向の側壁１１及び横断方向の側壁１２を備える。位置決めリブ３０は、長手方向の側壁１１の内面に位置決めされる。ラッチエレメント１３、又はむしろこの例示的な実施形態に示されているように、ラッチリブ１３は、長手方向の側壁１１の外面に位置決めされる。ラッチリブ１３は、傾斜して延びる傾斜セクション１４を備える。
【００４６】
図３に明らかであるように、ラッチリブ１３又はむしろラッチエレメント１３は、０．５×Ｂのグリッド寸法を有する固定グリッドにある。グリッド寸法は、各々の場合に、２つの左手側の外縁、２つの右手側の外縁から、あるいは図３のように、各々の場合に２つの隣接するラッチエレメント１３の中心から中心に測定することができる。それぞれの隣接するラッチエレメント１３の２つの横方向縁部の間のクリアランス間隔は、０．５×Ｄである。
【００４７】
特に好ましい実施形態では、Ｄ＝Ｂである。
【００４８】
図４に明らかであるように、ラッチリブ１３の同一のグリッド寸法が、各々の場合に、各々の長手方向の側壁１１の外面に明らかである。
【００４９】
図５〜図９では、様々な構造、したがって、図２ａ〜図４による本発明によるフレーム１０の構造の変形例には、図１による接点キャリアモジュール２０、２１が装備される。
【００５０】
図１は、一例として、標準モジュール２０、２１の構造を示しており、この場合、４×基本接点キャリアモジュール２１がフレーム１０にラッチされる。
【００５１】
図６は、幅Ｂの２×標準接点キャリアモジュール２１の構造と、幅２×Ｂの接点キャリアモジュール２０を有する構造とを示している。
【００５２】
図７は、中間位置の幅Ｂのモジュール２１と、幅２×Ｂを有する接点キャリアモジュール２０とを有する構造を示しており、これによって、幅０．５×Ｂの中間スペースが、２つの接点キャリアモジュール２０、２１の間に形成される。
【００５３】
このようにして、隣接するモジュールの間に中間スペースが具体化されることにより、空気及び沿面距離が増大することができる。構造は、幅２×Ｂのモジュールの接点キャリアモジュール２０、２１、幅１×Ｂの１つのモジュール及び幅０．５×Ｂの２つのモジュールから成る。
【００５４】
図９は、一例として、幅０．５×Ｂのモジュール２０と、幅１．５×Ｂのモジュール２０と、幅Ｂの２つのモジュール２１、言い換えれば、２つの基本接点キャリアモジュール２１とを有する構造を示している。
【００５５】
図１０は、接点キャリアモジュール２０、２１の断面図を示している。接点キャリアモジュール２０の深さは幅Ｔで示され、接点キャリアモジュール２０の高さは高さＨで示されている。
【００５６】
ラッチ要素２３は側壁に横方向に配置され、ラッチアーム２４は前記ラッチエレメントに取り付けられる。
【００５７】
図１１は、フレーム１０の頂面図を示しており、位置決めリブ３０の位置が明瞭に示されている。長手方向の側壁１１の内面に具体化される図１１の位置決めリブ３０の上方の列は、対向して位置する側壁１１に具体化される位置決めリブ３０の下方の列に対して変位される。その結果、それに応じて対応するラッチ溝３１が接点キャリアモジュール２０、２１に同一の方法で設けられることを前提として、接点キャリアモジュール２０、２１を一整列のみでフレーム１０に差し込むことができることが保証される。
【００５８】
図１２は、図９の側面図を示している。本発明による解決方法が、基本接点キャリアモジュール２１の半分の幅の接点グリッドにいかに適用されるかが明らかに明白である。
【００５９】
ラッチアーム２４は、０．５×Ｂのグリッド寸法を有するグリッドに配置され、この結果、隣接するラッチアームのラッチアーム、言い換えれば、様々な接点キャリアモジュール２０、２１の直接隣接するラッチアームの間の間隔も、同一の間隔でフレーム１０にラッチされる。ラッチ突起部２６がラッチアーム２４の下端に、実際に横断方向の接続片２５の延長部に配置されるという事実によって、特に優れた保持構成が固定グリッド寸法の場合に提供される。
【００６０】
本発明は、本発明の例示的な実施形態に限定されず、むしろ、本発明はまた、記載した様々な特徴の組み合わせによってさらに規定することができる。したがって、一例として、同様に、明らかにより大きな長手方向の延長部が設けられるフレーム１０を提供することが可能であり、この結果、２×Ｂよりも大きい寸法を有する、実際に寸法０の全又は半整数倍を有する接点キャリアモジュール２０、２１を配置することも可能である。
【符号の説明】
【００６１】
１０  フレーム
１１  長手方向の側壁
１２  横断方向の側壁
１３  ラッチリブ
１４  傾斜セクション
２０  接点キャリアモジュール
２１  基本モジュール
２３  ラッチエレメント
２４  ラッチアーム
２５  横断方向の接続片
２６  ラッチ突起部
３０  位置決めリブ
３１  位置決め溝
Ｂ  モジュールの幅
Ｔ  モジュールの深さ
Ｈ  モジュールの高さ
【図１】
0006374394.tif 000002
【図２ａ】
0006374394.tif 000003
【図２ｂ】
0006374394.tif 000004
【図３】
0006374394.tif 000005
【図４】
0006374394.tif 000006
【図５】
0006374394.tif 000007
【図６】
0006374394.tif 000008
【図７】
0006374394.tif 000009
【図８】
0006374394.tif 000010
【図９】
0006374394.tif 000011
【図１０】
0006374394.tif 000012
【図１１−１２】
0006374394.tif 000013